(57)【要約】【課題】簡単な構造で軒樋の位置を上下方向に調整可能とするとともに、雨水の飛散防止を図る。【解決手段】軒樋取付具１を、軒先部材２に固定する固定板１０と、固定板１０に取り付ける軒樋吊具２０と、軒樋吊具２０の上方に支持され、軒樋吊具２０の上部を覆うカバー体３０とで構成する。軒樋吊具２０は、固定板１０に挿入して固定される保持部材２１と、軒樋３の耳部３ａを抱持する軒樋吊持部材２２とを備え、軒樋吊持部材２２の上部に高さ調整棹２３を立設する。保持部材２１に、高さ調整棹２３が挿通される装着孔２１ａを形成する。保持部材２１に、位置決めクリップ２４を着脱可能に装着するクリップ装着孔２１ｂを設け、高さ調整棹２３の上下外周に、位置決めクリップ２４の係止溝２３ａを設け、位置決めクリップ２４を用いて、軒樋吊持部材２２を保持部材２１に高さ調整可能に支持する。高さ調整棹２３の上部にカバー体３０を取り付ける。【選択図】  図１
2007255001.tif 000002
【特許請求の範囲】
【請求項１】
軒先に固定される固定板と、該固定板に取り付けられる軒樋吊具と、該軒樋吊具の上方に支持され、軒樋の上方を覆うカバー体とで構成され、前記軒樋吊具は、前記固定板に固定される保持部材と、軒樋の耳部を抱持して該軒樋を保持する軒樋吊持部材とを備え、前記軒樋吊持部材の上面に高さ調整棹を立設するとともに、該高さ調整棹の上下に複数の係合部を形成し、前記保持部材に形成した装着孔に前記高さ調整棹を挿入し、前記係合部に係合部材を装着して軒樋吊持部材を高さ調整可能に支持し、前記高さ調整棹の上部に前記カバー体を取り付けたことを特徴とする軒樋取付具。
【請求項２】
前記高さ調整棹に設ける係合部は、該高さ調整棹の上下外周に形成した複数の係止溝であり、また前記係合部材は前記係止溝に嵌入される位置決めクリップであって、該位置決めクリップを前記装着孔と直交して保持部材に形成したクリップ装着孔に装着したことをことを特徴とする請求項１記載の軒樋取付具。
【発明の詳細な説明】
【技術分野】
【０００１】
本発明は、軒樋を建物に取り付けるための軒樋取付具に係り、詳しくは、軒樋の位置を高さ調整可能に保持する軒樋取付具に関する。
【背景技術】
【０００２】
軒樋は、屋根を葺く瓦の厚みや屋根の葺き替えの際の施工方法によって変化する建物の屋根の態様に応じて、取り付け高さを調整しなければならないことがあった。このため、軒樋取付具を、軒先に固定される固定板と、軒樋吊具とで構成し、該軒樋吊具は、固定板へ取り付ける保持部材と、軒樋を保持する軒樋吊持部材と、該軒樋吊持部材と保持部材とを繋ぐ中間部材とで形成し、該中間部材を前記保持部材に高さ調整可能に取り付けることによって、軒樋の取り付け高さを調整できるようにしたものがある（例えば、特許文献１参照。）。
【０００３】
また、軒樋吊具の表面に雨水が当たって跳ね返り、建物の壁や鼻隠し板を汚したり腐らせたりする虞があることから、軒樋吊具に水はね防止板を取り付けたものがある（例えば、特許文献２参照。）。
【特許文献１】特開平９−１８９１０７号公報
【特許文献２】特開２０００−９６７８８号公報
【発明の開示】
【発明が解決しようとする課題】
【０００４】
しかし、上述の特許文献１のものでは、軒樋吊具の部品点数が多くなるとともに、建物に取り付けられた軒樋の高さを変更する際には、軒樋を軒樋取付具から外した状態で高さの調整を行わなくてはならず、調整に手間が掛かっていた。
【０００５】
また、特許文献２のものでは、水はね防止板の形状が複雑で、取り付けにも手間が掛かることから、コストが嵩んでいた。
【０００６】
そこで本発明は、簡単な構造で軒樋の取り付け高さを調整可能とするとともに、安価で確実に雨水の飛散を防止することのでき、更には落ち葉等が軒樋に侵入するのを未然に防止することができる軒樋取付具を提供することを目的としている。
【課題を解決するための手段】
【０００７】
上記の目的を達成するため本発明は、軒先に固定される固定板と、該固定板に取り付けられる軒樋吊具と、該軒樋吊具の上方に支持され、軒樋の上方を覆うカバー体とで構成され、前記軒樋吊具は、前記固定板に固定される保持部材と、軒樋の耳部を抱持して該軒樋を保持する軒樋吊持部材とを備え、前記軒樋吊持部材の上面に高さ調整棹を立設するとともに、該高さ調整棹の上下に複数の係合部を形成し、前記保持部材に形成した装着孔に前記高さ調整棹を挿入し、前記係合部に係合部材を装着して軒樋吊持部材を高さ調整可能に支持し、前記高さ調整棹の上部に前記カバー体を取り付けたことを特徴とし、さらに、前記高さ調整棹に設ける係合部は、該高さ調整棹の上下外周に形成した複数の係止溝であり、また前記係合部材は前記係止溝に嵌入される位置決めクリップであって、該位置決めクリップを前記装着孔と直交して保持部材に形成したクリップ装着孔に装着したことを特徴としている。
【発明の効果】
【０００８】
本発明は上述のように構成したことにより、簡単な構造で軒樋の取付位置を高さ調整可能にできる。また、高さ調整棹を利用してカバー体を取り付けることから、カバー体の取付構造がシンプルになり、安価で確実に雨水の飛散防止を図ることができ、また落ち葉等が軒樋に侵入するのを未然に防止できる。
【０００９】
さらに、高さ調整棹の上下外周に、複数の係止溝を形成し、保持部材に形成したクリップ装着孔に位置決めクリップを装着して、該位置決めクリップを前記係止溝のいずれかに係合させることにより、軒樋の高さを簡単に調整することができる。また、既に建物に取り付けられた状態の軒樋の高さを変更する際にも、軒樋を軒樋取付具から外す必要もなく、高さの調整を容易に行うことができる。特に、軒先に沿って所定間隔に固定した軒樋取付具で軒樋を支持した状態において、それぞれの軒樋吊持部材の高さを調整することによって、軒樋の高さと勾配を簡単に設定することができ、この高さ調整と同時に軒樋の上方を覆うカバー体にも同様の勾配を付けることができる。
【発明を実施するための最良の形態】
【００１０】
以下、本発明の各形態例を図面に基づいて詳しく説明する。図１乃至図４は本発明の第１形態例を示すもので、図１は軒先部材に取り付けた状態の軒樋取付具の断面図、図２は軒樋取付具の分解斜視図、図３は軒樋取付具の斜視図、図４は軒樋の取付位置を下げた状態を示す軒樋取付具の断面図である。
【００１１】
本形態例の軒樋取付具１は、軒先部材２の前面に固定される固定板１０と、該固定板１０に取り付けられる軒樋吊具２０と、該軒樋吊具２０の上方に支持されるカバー体３０とで構成されている。軒樋吊具２０は、固定板１０に挿入して固定される保持部材２１と、軒樋３の耳部３ａ，３ａを抱持して軒樋３を保持する軒樋吊持部材２２とを備えている。軒樋吊持部材２２の上部中央には、高さ調整棹２３が立設されるとともに、保持部材２１には高さ調整棹２３の装着孔２１ａが形成され、軒樋吊持部材２２は保持部材２１に、位置決めクリップ２４を用いて高さ調整可能に支持されている。また、高さ調整棹２３の上部には、軒樋吊具２０の上部を覆う前記カバー体３０が取り付けられている。
【００１２】
固定板１０は、矩形状の金属板により形成され、該金属板の上端部を前面側及び下方に折り曲げると共に、その下端部を前面側及び上方に折り曲げることによって、その上下に相対向する係止溝１０ａ，１０ａが設けられ、後面が複数の釘４やねじを用いて軒先部材２の前面に取り付けられている。
【００１３】
軒樋吊具２０の保持部材２１と軒樋吊持部材２２とは、ポリカーボネートの如き合成樹脂を素材として射出成型により一体成形される。保持部材２１は、矩形の上部挿入片２１ｃと、該上部挿入片２１ｃよりも幅の狭い矩形で、該上部挿入片２１ｃの前面に連設される下部挿入片２１ｄとを備え、前記上部挿入片２１ｃの上部と下部挿入片２１ｄの下部とが前記係止溝１０ａ，１０ａにそれぞれ挿入されて、保持部材２１が固定板１０に取り付けられる。上部挿入片２１ｃの上部には、前方及び下方に向けて支持腕２１ｅが延設され、該支持腕２１ｅの先端部に水平部２１ｆが設けられている。水平部２１ｆの中央には、鉛直方向に前記装着孔２１ａが、水平方向に前記クリップ装着孔２１ｂがそれぞれ設けられ、クリップ装着孔２１ｂは装着孔２１ａの直径よりも幅広に形成されている。
【００１４】
軒樋吊持部材２２は、前記保持部材２１の上部挿入片２１ｃ及び下部挿入片２１ｄの前面に当接する当接部２２ａが設けられ、該当接部２２ａには、前記上部挿入片２１ｃと下部挿入片２１ｄとによって形成される段部に嵌め合わされる凹部２２ｂが形成され、当接部２２ａの下方には、軒樋３の後方の耳部３ａを抱持するための断面コ字状の後方抱持部２２ｃが形成される。当接部２２ａの上面には、前記保持部材２１の支持腕２１ｅの下面に沿うように、前方及び下方に向けて保持腕２２ｄが延設され、前記保持部材２１の水平部２１ｆに対応する保持腕２２ｄの先端部には水平部２２ｅが形成され、該水平部２２ｅの中央上面に高さ調整棹２３が立設されている。また、水平部２２ｅの先端部から、前方及び上方に向けて、軒樋３の前方の耳部３ａを抱持するための前方抱持部２２ｆが形成され、前記保持腕２２ｄの下面には、前記後方抱持部２２ｃに向かって突出する抜止片２２ｇが設けられている。抜止片２２ｇは上下に屈曲する弾性を備えており、該抜止片２２ｇよって前記後方抱持部２２ｃに装着された後方の耳部３ａの脱出が阻止されるようになっている。さらに、前方抱持部２２ｆの下面には、軒樋３の底面近傍まで垂下され、台風等の際に、軒樋の変形・破損を防止する支持棒２２ｈが設けられている。
【００１５】
高さ調整棹２３は、軒樋吊持部材２２とカバー体３０の高さ調整を行うものであって、
その軸部外周には係合部となる４本の係止溝２３ａが上下方向に等間隔に形成され、軸部の上端部には、鋲部材２３ｂを取り付ける挿入孔が設けられている。
【００１６】
位置決めクリップ２４は、前記高さ調整棹２３の係止溝２３ａに嵌入される嵌入部２４ａと、前記嵌入部２４ａまで案内するガイド溝２４ｂとを備えた二股状となっており、該クリップ２４の二股基部には抑え片２４ｃが形成され、開口した二股先端部の外側には抜止片２４ｄが形成されている。前記高さ調整棹２３を保持部材２１の装着孔２１ａに挿通したのち、クリップ装着孔２１ｂに位置決めクリップ２４を挿入し、係止溝２３ａのいずれかに嵌入部２４ａを嵌入することによって、軒樋吊持部材２２が保持部材２１に装着される。カバー体３０は金属製の帯状網部材で形成され、幅方向の両側が上方に屈曲され、高さ調整棹２３の上端部に、網状部分を通して装着される鋲部材２３ｂによって取り付けられている。
【００１７】
また、本形態例では、前記固定板１０と軒先部材２との間に、鼻隠し４の装着板４ａが介装され、軒樋３の家屋側に、通気路４ｂを備えた鼻隠し４が装着されている。
【００１８】
上述の軒樋取付具１の組み立て手順は、まず軒先に沿って固定板１０を所定間隔ごとに軒先部材２に固定し、それぞれの固定板１０に軒樋取付具１を順次固定する。このとき、軒樋吊持部材２２を保持部材２１の下方に配置し、高さ調整棹２３を装着孔２１ａに挿通し、保持部材２１の段部と当接部２２ａの凹部２２ｂとを嵌め合わせてセットしてから、保持部材２１の上部挿入片２１ｃ及び下部挿入片２１ｄを固定板１０の係止溝１０ａ，１０ａに挿入する。このようにして、それぞれの固定板１０に軒樋取付具１を順次固定しつつ、あるいは固定した後、クリップ装着孔２１ｂに位置決めクリップ２４を装着し、該位置決めクリップ２４の嵌入部２４ａを高さ調整棹２３のいずれかの係止溝２３ａに嵌入させて軒樋３の高さと傾斜勾配を調整する。そこで、軒樋３の後方の耳部３ａを軒樋吊持部材２２の後方抱持部２２ｃに、前方の耳部３ａを軒樋吊持部材２２の前方抱持部２２ｆにそれぞれ抱持させて軒樋３を軒樋吊持部材２２に装着する。最後に、高さ調整棹２３の上端にカバー体３０を載置し、鋲部材２３ｂをカバー体３０の上部から、網状部分を通して挿入孔へ挿入し、カバー体３０を高さ調整棹２３に取り付けて施工作業が完了する。
【００１９】
このように本形態例の軒樋取付具１は、組み立てが簡単で、軒樋３の取り付け高さや勾配を簡便に設定することができる。また、屋根の葺き替え等に応じて、軒樋の取り付け高さを変えなければならない際にも、位置決めクリップ２４を取り外して、軒樋の位置を調整した後、再び位置決めクリップ２４を装着するだけで、簡単に軒樋３の取り付け高さを変更することができる。
【００２０】
また、カバー体３０は、高さ調整棹２３の上端に取り付けられることにより、屋根部材から延設される水切り５や、瓦６の下方に配設され、水切り５や瓦６から落下する雨水を良好に受け、網状部材を伝って軒樋３に落下させることができるので、雨水の飛散を有効に防止することができる。また、カバー体３０は構造がシンプルであり、高さ調整棹２３の上端に簡単に取り付けることができるので、コストの低減を図ることができる。
【００２１】
図５乃至図７は、形状の異なる軒樋とカバー体に対応した本発明の第２形態例を示し、図５は軒先部材に取り付けた状態の軒樋取付具の断面図、図６は軒樋取付具の分解斜視図、図７は軒樋の高さを下げて取り付けた状態を示す軒樋取付具の断面図である。なお、前記第１形態例と同様の構成要素には同一の符号を付して、その詳細な説明は省略する。
【００２２】
本形態例のカバー体３１は、断面コ字状の装着部３１ａと、該装着部３１ａから家屋側斜め上方に延出される雨水受け部３１ｂとを備えている。雨水受け部３１ｂは、水切り５上方の屋根部材に向けて瓦６の近傍まで延び、先端側が下方にＬ字状に折曲され、傾斜面方向に複数のスリット３１ｃが形成されている。また、前記装着部３１ａの長手方向にもスリット３１ｄが形成されている。これにより、瓦６から落下する雨水は、雨水受け部３１ｂを伝って軒樋３に落下するか、或いは、スリット３１ｃ，３１ｄから直接又は水切り５を介して軒樋３に落下し、確実に雨水の飛散を防止することができる。また、本形態例の鋲部材２３ｂは、前記スリット３１ｄを利用して、高さ調整棹２３の挿通孔に装着されている。本形態例では、カバー体３１が軒樋吊具２０の上方を広く覆うことから、落ち葉等が軒樋３に落下することを防止できる。
【００２３】
なお、本形態例では軒樋取付具をポリカーボネート樹脂で形成したが、本発明はこれに限るものではなく、硬質塩化ビニル樹脂，プロピレン樹脂，ポリフェニレンサルファイド樹脂，ＡＥＳ樹脂，ＰＥＫ樹脂，ＰＥＥＫ，ポリサルホン樹脂などの合成樹脂やエンジニアリング樹脂、ガラス繊維，金属繊維，金属板あるいは合成繊維などの長尺・短尺補強材にて補強された前記合成樹脂やエンジニアリング樹脂，ＦＲＰ等を使用することもできる。また、固定板も鋼板，アルミ板，ステンレス鋼板，銅板等で形成することができる。
【図面の簡単な説明】
【００２４】
【図１】本発明の第１形態例を示す軒先部材に取り付けた状態の軒樋取付具の断面図である。
【図２】同じく軒樋取付具の分解斜視図である。
【図３】同じく軒樋取付具の斜視図である。
【図４】同じく軒樋の取付位置を下げた状態を示す軒樋取付具の断面図である。
【図５】本発明の第２形態例を示す軒先部材に取り付けた状態の軒樋取付具の断面図である。
【図６】同じく軒樋取付具の分解斜視図である。
【図７】同じく軒樋の高さを下げて取り付けた状態を示す軒樋取付具の断面図である。
【符号の説明】
【００２５】
１…軒樋取付具、２…軒先部材、３…軒樋、３ａ…耳部、１０…固定板、１０ａ…係止溝、２０…軒樋吊具、２１…保持部材、２１ａ…装着孔、２１ｂ…クリップ装着孔、２１ｃ…上部挿入片、２１ｄ…下部挿入片、２１ｅ…支持腕、２１ｆ…水平部、２２…軒樋吊持部材、２２ａ…当接部、２２ｂ…凹部、２２ｃ…後方抱持部、２２ｇ…抜止片、２２ｈ…支持棒、２３…高さ調整棹、２３ａ…係止溝（係合部）、２３ｂ…鋲部材、２４…位置決めクリップ（係合部材）、２４ａ…嵌入部、２４ｂ…ガイド溝、２４ｃ…抜止片、３０，３１…カバー体、３１ａ…装着部、３１ｂ…雨水受け部、３１ｃ…スリット
【図１】
2007255001.tif 000003
【図２】
2007255001.tif 000004
【図３】
2007255001.tif 000005
【図４】
2007255001.tif 000006
【図５】
2007255001.tif 000007
【図６】
2007255001.tif 000008
【図７】
2007255001.tif 000009